(57)【要約】【課題】一種のフラットベッドタイプスキャナと、その内部のスキャンモジュールにおいて、後付の金属製バネ片等を用いず、キャリッジモジュールと干渉することなくベルト張力を得る。【解決手段】スキャナは、駆動モータ、ベルト、及びスキャンモジュールを含み、スキャンモジュールの囲い上に弾性体を備え付け、その弾性体のトップ部分がそのベルトに接触することによって、そのベルトの張力を増加させる。【選択図】図３
2004287386.tif 000002
【特許請求の範囲】
【請求項１】
一つの駆動モータ、
その駆動モータに連結され、駆動モータの動きを受けて移動する一つのベルト、及び、そのベルトに連結され、そのベルトの動きを受けて移動する一つのキャリッジモジュール、を備えており、
このキャリッジモジュールの囲い上に一つの弾性体を備え、その弾性体のトップ部分がそのベルトに接触することによって、そのベルトの張力を増加させることを特徴とする一種のフラットベッドタイプスキャナ。
【請求項２】
内部の弾性体が、そのキャリッジモジュールの囲いと一体成型によって完成されることを特徴とする、請求項１に記載のフラットベッドタイプスキャナ。
【請求項３】
内部の弾性体が弾性プラスチック製バネ片であることを特徴とする、請求項１に記載のフラットベッドタイプスキャナ。
【請求項４】
内部の弾性プラスチック製バネ片が、そのキャリッジモジュールの囲いと一体成型によって完成されていることを特徴とする、請求項３に記載のフラットベッドタイプスキャナ。
【請求項５】
映像処理装置上に応用され、映像処理装置は一つの駆動モータ及び一つのベルトを備えている一種のスキャンモジュールであって、
そのスキャンモジュールは駆動モータとそのベルトの動きを受けて移動し、
そのスキャンモジュールの囲い上に一つの弾性体を備え、その弾性体のトップ部分が、そのベルトに接触することで、そのベルトの張力を増加させていることを特徴とする一種のスキャンモジュール。
【請求項６】
内部の弾性体が、そのスキャンモジュールの囲いと一体成型によって完成されていることを特徴とする、請求項５に記載のスキャンモジュール。
【請求項７】
内部の弾性体が、弾性プラスチック製バネ片であることを特徴とする、請求項５に記載のスキャンモジュール。
【請求項８】
内部の弾性プラスチック製バネ片が、そのスキャンモジュールの囲いと一体成型によって完成されていることを特徴とする、請求項７に記載のスキャンモジュール。
【請求項９】
内部のスキャンモジュールが、そのキャリッジモジュールとなり、その映像処理装置が、フラットベッドタイプスキャナとなることを特徴とする、請求項７に記載のスキャンモジュール。
【請求項１０】
内部のスキャンモジュールが印字ヘッドモジュールとなり、その映像処理装置がプリンタとなることを特徴とする、請求項７に記載のスキャンモジュール。
【発明の詳細な説明】
【技術分野】
【０００１】
本発明は、一種のスキャナとその内部のスキャンモジュールであり、更には一種のフラットベッドタイプスキャナとその内部のスキャンモジュールに関するものである。
【背景技術】
【０００２】
図１に示されているのは、現在よく目にするフラットベッドタイプスキャナの内部構造の見取り図である。読み取り原稿が載置される透明ガラス面の下方に配置された駆動モータ１０によって、駆動ベルト１１が駆動され、キャリッジモジュール１２を動かしてガイド用の軸１に沿って移動させられる。このため、ベルト１１は必ず一定レベルの張力を備えていなければならない。しかし、組立上、便利なように、設計製造者のほとんどが、後付の金属製バネ片１３（図２（ａ）に示す通り）またはスプリング１４（図２（ｂ）に示す通り）によってベルト１１の張力を増加させている。
【０００３】
しかし、製品を軽く薄くコンパクトにするという要求に応えるために、フラットベッドタイプスキャナの厚さは益々薄くなり、そのためキャリッジモジュール１２が、スキャンの過程で容易に、上記の後付の金属製バネ片１３またはスプリング１４の、外側に突出した部分に接触するという干渉が発生しやすくなっている。そのため、どのようにこの欠点を改善するかが、本発明を改善する主な目的である。
【発明の開示】
【発明が解決しようとする課題】
【０００４】
本発明の主要な目的は、上記のこれまでに用いられてきた方法では欠点のあったフラットベッドタイプスキャナと、その内部のスキャンモジュールを改善することである。
【課題を解決するための手段】
【０００５】
本発明は一種のフラットベッドタイプスキャナであり、それには以下のものを含む。一つの駆動モータ、その駆動モータに連結し、その駆動モータの動きを受けて移動する一つのベルト、及びそのベルトに連結し、そのベルトの動きを受けて移動する一つのキャリッジモジュール。そして、本発明の特徴は、そのキャリッジモジュールの囲い上に一つの弾性体を備えており、その弾性体のトップ部分がそのベルトに接触することで、そのベルトの張力を増加させる点である。
【０００６】
上記の構想に基づき、本発明において述べるフラットベッドタイプスキャナでは、内部の弾性体がそのキャリッジモジュールの囲いと一体成型によって完成されている。
【０００７】
上記の構想に基づき、本発明において述べるフラットベッドタイプスキャナでは、内部の弾性体が一つの弾性プラスチック製バネ片となっている。
【０００８】
上記の構想に基づき、本発明において述べるフラットベッドタイプスキャナでは、内部の弾性プラスチック製バネ片は、そのキャリッジモジュールの囲いと一体成型によって完成されている。
【０００９】
本発明のもう一つの特徴は、一種のスキャンモジュールとして、映像処理装置上に応用することである。その映像処理装置は、一つの駆動モータ及び一つのベルトを備えており、そのスキャンモジュールは、その駆動モータとそのベルトの動きを受けて移動する。そして、本発明の特徴は、そのスキャンモジュールの囲い上に一つの弾性体が備えられており、その弾性体のトップ部分が、そのベルトに接触することによって、そのベルトの張力を増加させることである。
【００１０】
上記の構想に基づき、本発明において述べるスキャンモジュールでは、内部の弾性体が、そのスキャンモジュールの囲いと一体成型によって完成されている。
【００１１】
上記の構想に基づき、本発明において述べるスキャンモジュールでは、内部の弾性体が一つの弾性プラスチック製バネ片となっている。
【００１２】
上記の構想に基づき、本発明において述べるスキャンモジュールでは、内部の弾性プラスチック製バネ片が、そのスキャンモジュールの囲いと一体成型によって完成されている。
【００１３】
上記の構想に基づき、本発明において述べるスキャンモジュールでは、内部のスキャンモジュールがキャリッジモジュールとなり、その映像処理装置がフラットベッドタイプスキャナとなる。
【００１４】
上記の構想に基づき、本発明において述べるスキャンモジュールでは、内部のスキャンモジュールが印字ヘッドモジュールとなり、その映像処理装置がプリンタとなる。
【００１５】
本発明は、下記の図と詳しい説明によって、更に理解が深まるはずである。
【００１６】
本発明の図面に含まれる各部品は以下の通りである。
軸１、駆動モータ１０、ベルト１１、キャリッジモジュール１２、金属製バネ片１３、スプリング１４、弾性プラスチック製バネ片４０、キャリッジモジュールの囲い４１、ベルト４２
【発明の効果】
【００１７】
本発明は、これまで用いられてきた手段の欠点を効果的に解決し、本発明の主な目的を達成させ、更に改善することができる。この他、本発明の技術的構想は、同時に、同じく駆動モータとベルトを備えるインクジェットプリンタに転用することができ、それによって弾性プラスチック製バネ片とその印字ヘッドモジュールの囲いとを一体成型によって完成させることができる。その構造は上記の図と大きな違いがないため、ここでは言及しない。本発明は、こうした技術を熟知している技術者たちによって創意工夫され、様々に作られてきた。
【発明を実施するための最良の形態】
【００１８】
図３に示されているのは、本発明がこれまで用いられてきたものの欠点を改善した比較的優れた実施例の見取り図である。その中で、ベルト４２はキャリッジモジュールの囲い４１上に連結されている。このベルト４２は、図１のベルト１１に対応するものであり、キャリッジモジュールの囲い４１は、図１のキャリッジモジュール１２の一部である。図３から明らかなように、本実施例では、弾性プラスチック製バネ片４０を、直接、キャリッジモジュールの囲い４１と同じくプラスチック製にして、一体成型によって完成させている点である。
【００１９】
このようにすると、弾性プラスチック製バネ片４０は、それによって、そのトップ部分がベルト４２上に接触し、そのベルト４２の張力を増加させることができ、弾性プラスチック製バネ片４０も、キャリッジモジュールの囲い４１上に固定される。また、キャリッジモジュールの囲い４１との間に干渉が起こることを効果的に回避し、同時にこれまでのような金属製バネ片とスプリングを別に製造して組立の手間を省くことができる。
【図面の簡単な説明】
【００２０】
【図１】現在よく目にするフラットベッドタイプスキャナの内部構造見取り図である。
【図２】（ａ）（ｂ）は、現在よく目にするベルトの張力を増加させるために用いられている後付の金属製バネ片とスプリングの見取り図である。
【図３】本発明がこれまで用いられてきたものの欠点を改善した、比較的優れた実施例の見取り図である。
【符号の説明】
【００２１】
４０  弾性プラスチック製バネ片
４１  キャリッジモジュールの囲い（スキャンモジュールの囲い）
４２  ベルト
【図１】
2004287386.tif 000003
【図２】
2004287386.tif 000004
【図３】
2004287386.tif 000005